(57)【特許請求の範囲】
【請求項１】
それぞれが固有の認識符号および表示手段を有する複数のＡＰＤを保持する複数の保持部と、前記複数の保持部に各々保持された前記複数のＡＰＤのうち前記ＡＰＤに固有の認識符号を指定することでいずれかのＡＰＤを指定する指定手段とを備え、前記指定手段は前記ＡＰＤの前記表示手段に指定されたことを表示させる貸出装置。
【請求項２】
すべてのＡＰＤがｎ回目の指定をされて初めて、ｎ＋１回目の指定を開始する請求項１記載の貸出装置。
【発明の詳細な説明】
【０００１】
【発明の属する技術分野】
本発明は、入退管理などに使用されるＡＰＤ貸出装置に関する技術である。
【０００２】
【従来の技術】
ＡＰＤ貸出装置は、ＡＰＤとの通信、ＡＰＤの充電ならびに作業者へのＡＰＤの貸出をおこなう装置である。
【０００３】
従来この種のＡＰＤ貸出装置は、図４に示すように、ＡＰＤポケット７を有している。
【０００４】
なおＡＰＤは表示手段であるＬＥＤを備えている。
上記構成において、ＡＰＤの充電をおこない、充電完了のＡＰＤは緑、充電未完了のＡＰＤは赤のＬＥＤを点灯し、作業者がそれを確認し充電完了した任意のＡＰＤを取り出し携帯する。
【０００５】
【発明が解決しようとする課題】
このような従来のＡＰＤ貸出装置では、作業者が充電完了した任意のＡＰＤを選択するため、ＡＰＤの使用頻度にばらつきがあり、部品の交換等メンテナンス性がよくなかった。
【０００６】
本発明は上記課題を解決するもので、作業者が携帯するＡＰＤを指定することによりＡＰＤの使用頻度を均一化することができるＡＰＤ貸出装置を提供することを目的としている。
【００１１】
【課題を解決するための手段】
上記目的を達成するために、本発明の第１の貸出装置は、それぞれが固有の認識符号および表示手段を有する複数のＡＰＤを保持する複数の保持部と、前記複数の保持部に各々保持された前記複数のＡＰＤのうち前記ＡＰＤに固有の認識符号を指定することでいずれかのＡＰＤを指定する指定手段とを備え、前記指定手段は前記ＡＰＤの前記表示手段に指定されたことを表示させるものである。
【００１２】
また、本発明の第２の貸出装置は、すべてのＡＰＤがｎ回目の指定をされて初めて、ｎ＋１回目の指定を開始するものである。
【００１５】
【発明の実施の形態】
上記構成により、本発明の第１の貸出装置は、前記指定手段は前記保持部を所定の順に指定するので、設置者の思うとおりの制御が可能となる。
【００１６】
また、本発明の第２の貸出装置は、すべての保持部がｎ回目の指定をされて初めて、ｎ＋１回目の指定を開始するので、すべての保持部を均一回数にて使用することができる。
【００１７】
また、本発明の第３の貸出装置は、指定手段は所定の順に代えてランダムに指定を行うので、所定の順を記憶することなく、すべての保持部を均一回数にて使用することができる。
【００１８】
また、本発明の第４の貸出装置は、指定されたことを表示する第１の表示手段を保持部もしくは前記保持部の近傍に備えことにより、貸出物に余分な機能を設けずともどの貸出物が指定されたかを知ることができる。
【００１９】
また、本発明の第５の貸出装置は、貸出物を保持する複数の保持部と、前記保持部のいずれかを指定する指定手段とを備え、前記指定手段は、指定されたことを表示する第２の表示手段を有する前記貸出物に、指定されたことを表示させることにより、貸出装置側に余分な表示機能を設けずともどの貸出物が指定されたかを知ることができる。
【００２０】
また、本発明の第６の貸出装置は、貸出物が充電可能であるとともに、前記充電の有無もしくは充電の状態を示す部分を第２の表示手段として用いることにより、簡単な構成でどの貸出物が指定されたかを知ることができる。
【００２１】
また、本発明の第７の貸出装置は、複数の保持部が複数列に並んで設けられるとともに、各列は指定された貸出物があることを表示する第３の表示部を有するので、貸出者が指定された貸出物を探す際により効果的である。
【００２２】
また、本発明の第８の貸出装置でも、上記と同様の効果を得ることができる。
以下、本発明のいくつかの実施の形態について詳細に説明する。
【００２３】
（実施の形態１）
以下、本発明の第１の実施の形態における貸出装置を説明する。
【００２４】
図１は本発明の第１の実施の形態における貸出装置の構成を示す斜視図である。
【００２５】
図１に示すように貸出装置１は貸出物であるＡＰＤ２を保持する複数の保持部であるＡＰＤポケット３と、前記保持部のいずれかを指定する指定手段とを備えている。またＡＰＤポケット３は表示手段であるＬＥＤ４を備えている。
【００２６】
上記構成において動作を説明すると、前記指定手段は作業者が携帯するＡＰＤ２を保持している保持部であるＡＰＤポケット３を所定の順に指定する。
【００２７】
このように本実施の形態における貸出装置によれば、前記指定手段は前記保持部であるＡＰＤポケット３を所定の順に指定するので、設置者の思うとおりの制御が可能となる。
【００２８】
なお、本発明における貸出物がＡＰＤに限定されるものではないことは言うまでもない。
【００２９】
また、貸出物が固有の認識符号を有するとともに、指定手段は保持部を指定することに代えて、前記貸出物の前記認識符号を指定するようにしてもよい。
【００３０】
（実施の形態２）
以下、本発明の第２の実施の形態における貸出装置を説明する。なお、主要な構成については第１の実施の形態と同様のため、以下の説明では、図１を流用し、同一の構成については同一の符号を用いて説明する。
【００３１】
図１に示すように貸出装置１は貸出物であるＡＰＤ２を保持する複数の保持部であるＡＰＤポケット３と、第３の表示手段である複数のＬＥＤ５とを備えている。ここで、指定手段は、すべての前記保持部であるＡＰＤポケット３がｎ回目の指定をされて初めてｎ＋１回目の指定を行うこととしている。また前記保持手段であるＡＰＤポケットは第１と第２の表示手段であるＬＥＤ６を複数備えている。
【００３２】
上記構成において動作を説明すると、図２に示すように前記指定手段は作業者が携帯するＡＰＤを保持しているすべての保持部であるＡＰＤポケット３がｎ回目の指定をされて初めて、ｎ＋１回目の指定を開始する。
【００３３】
また前記ＡＰＤ２が充電完了か未完了かは、ＡＰＤポケット３が備えている第２の表示手段であるＬＥＤ６にて表示し、またどの保持部であるＡＰＤポケット３が指定されたかは、ＡＰＤポケット３が備えている第１の表示手段であるＬＥＤ６にて表示する。
【００３４】
また各列に設けられた第３の表示手段であるＬＥＤ５が指定されたＡＰＤ２がある列を表示する。
【００３５】
このように本実施の形態における貸出装置によれば、前記指定手段はすべての前記保持部であるＡＰＤポケット３がｎ回目の指定をされて初めてｎ＋１回目の指定を開始するので、すべての保持部であるＡＰＤポケット３を均一回数にて使用することができる。
【００３６】
また前記ＡＰＤ２が充電完了か未完了か、ＡＰＤポケット３が備えている第２の表示手段であるＬＥＤ６にて表示し、またどの保持部であるＡＰＤポケット３が指定されたか、ＡＰＤポケット３が備えている第１の表示手段であるＬＥＤ６にて表示するので、作業者がどのＡＰＤポケット３が指定されたか簡単に確認することができる。
【００３７】
また各列に設けられた第３の表示手段であるＬＥＤ５が指定されたＡＰＤがある列を表示するので作業者が指定されたＡＰＤ２を探す際により効果的となる。
【００３８】
なお、本発明における貸出物がＡＰＤに限定されるものではないことは言うまでもない。
【００３９】
（実施の形態３）
以下、本発明の第３の実施の形態における貸出装置を説明する。なお、本実施の形態においても、図１を流用し、同一の構成については、同一の構成を示して説明する。
【００４０】
図１に示すように貸出装置１は貸出物であるＡＰＤ２を保持する複数の保持部であるＡＰＤポケット３と、第３の表示手段である複数のＬＥＤ５とを備え、指定手段は所定の順に代えてランダムに前記保持手段であるＡＰＤポケット３を指定を行うこととした。また貸出物であるＡＰＤ２は第１と第２のの表示手段である複数のＬＥＤ４を備えている。
【００４１】
上記構成において図３を用いて動作を説明すると、前記指定手段は作業者が携帯するＡＰＤ２を保持している保持手段であるＡＰＤポケット３を所定の順に代えてランダムに指定をする。
【００４２】
また前記ＡＰＤ２が充電完了か未完了かは、ＡＰＤ２が備えている第２の表示手段であるＬＥＤ４にて表示し、またどの保持部であるＡＰＤポケット３が指定されたかは、ＡＰＤ２が備えている第１の表示手段であるＬＥＤ４にて表示する。
【００４３】
また各列に設けられた第３の表示手段であるＬＥＤ５が指定されたＡＰＤ２がある列を表示する。
【００４４】
このように本実施の形態における貸出装置によれば、前記指定手段は所定の順に代えてランダムに保持部であるＡＰＤポケット３を指定するので、所定の順を記憶することなくすべての保持部であるＡＰＤポケット３を均一回数にて使用することができる。
【００４５】
また前記ＡＰＤ２が充電完了か未完了か、ＡＰＤ２が備えている第２の表示手段であるＬＥＤ４にて表示し、またどの保持部であるＡＰＤポケット３が指定されたか、貸出物であるＡＰＤ２が備えている第１の表示手段であるＬＥＤ４にて表示するので、作業者がどのＡＰＤポケット３が指定されたか簡単に確認することができる。
【００４６】
また各列に設けられた第３の表示手段であるＬＥＤ５が指定されたＡＰＤ２がある列を表示するので作業者が指定されたＡＰＤ２を探す際により効果的となる。
【００４７】
なお、本発明における貸出物がＡＰＤに限定されるものではないことは言うまでもない。
【００４８】
【発明の効果】
以上の説明から明らかなように、本発明の第１の貸出装置は、前記指定手段は前記保持部を所定の順に指定するので、設置者の思うとおりの制御が可能となる。
【００４９】
また、本発明の第２の貸出装置は、すべての保持部がｎ回目の指定をされて初めて、ｎ＋１回目の指定を開始するので、すべての保持部を均一回数にて使用することができる。
【００５０】
また、本発明の第３の貸出装置は、指定手段は所定の順に代えてランダムに指定を行うので、所定の順を記憶することなく、すべての保持部を均一回数にて使用することができる。
【００５１】
また、本発明の第４の貸出装置は、指定されたことを表示する第１の表示手段を保持部もしくは前記保持部の近傍に備えことにより、貸出物に余分な機能を設けずともどの貸出物が指定されたかを知ることができる。
【００５２】
また、本発明の第５の貸出装置は、貸出物を保持する複数の保持部と、前記保持部のいずれかを指定する指定手段とを備え、前記指定手段は、指定されたことを表示する第２の表示手段を有する前記貸出物に、指定されたことを表示させることにより、貸出装置側に余分な表示機能を設けずともどの貸出物が指定されたかを知ることができる。
【００５３】
また、本発明の第６の貸出装置は、貸出物が充電可能であるとともに、前記充電の有無もしくは充電の状態を示す部分を第２の表示手段として用いることにより、簡単な構成でどの貸出物が指定されたかを知ることができる。
【００５４】
また、本発明の第７の貸出装置は、複数の保持部が複数列に並んで設けられるとともに、各列は指定された貸出物があることを表示する第３の表示部を有するので、貸出者が指定された貸出物を探す際により効果的である。
【００５５】
また、本発明の第８の貸出装置でも上記と同様の効果を得ることができる。
【図面の簡単な説明】
【図１】本発明の第１の実施の形態における貸出装置の構成を示す斜視図
【図２】本発明の第２の実施の形態の貸出装置におけるＡＰＤポケットを指定するフローを示す図
【図３】本発明の第３の実施の形態の貸出装置におけるＡＰＤポケットを指定するフローを示す図
【図４】従来の貸出装置の構成を示す図
【符号の説明】
１貸出装置
２ＡＰＤ
３ＡＰＤポケット
４ＬＥＤ
５ＬＥＤ
６ＬＥＤ
７ＡＰＤポケット
【図１】
0003684798.tif 000002
【図２】
0003684798.tif 000003
【図３】
0003684798.tif 000004
【図４】
0003684798.tif 000005